(57)【要約】【目的】  ペットボトル本体内に内容物が充填されているときに比し、実質的にその縦幅（高さ）が縮小できるペットボトルを製造する方法を提唱すること。【構成】  ペット樹脂のような可撓性ある樹脂材料で造られ、上端に飲み口部を有し側面周囲を水平方向或いは斜方向の蛇腹状としたペットボトル本体にあって、上記飲み口部の厚さは１．３乃至２．０であり、上記蛇腹状を形成する各襞うち最上段の襞の上辺の縦断縦巾は、飲み口近くが０．６乃至１．０、略々中央部は０．１５乃至０．２、山部は０．１乃至０．１５、下辺の縦断縦巾は略々中央部は０．１５乃至０．２、の略々均一な厚さとなっていることいることが特徴の縦方向に伸縮できるペットボトル【選択図】  図１
2007015729.tif 000002
【特許請求の範囲】
【請求項１】
ペット樹脂のような可撓性ある樹脂材料で造られ、上端に飲み口部を有し側面周囲を水平方向或いは斜方向の蛇腹状としたペットボトル本体にあって、
上記飲み口部の厚さは１．３乃至２．０であり、上記蛇腹状を形成する各襞うち最上段の襞の上辺の縦断縦巾は、飲み口近くが０．６乃至１．０、略々中央部は０．１５乃至０．２、山部は０．１乃至０．１５、下辺の縦断縦巾は略々中央部は０．１５乃至０．２、の略々均一な厚さとなっていることいることが特徴の縦方向に伸縮できるペットボトル
【請求項２】
上記蛇腹状を形成する各襞の縦断面形状は、上面が上方の湾曲し下面は真直あるいは上方に湾曲しており、かつ２段目以後の襞の縦断面形状は、その上面も下面も下方に湾曲していることが特徴の上記請求項１に示す縦方向に伸縮できるペットボトル
【請求項３】
上請求項１及び２に示した蛇腹状を構成する谷部を、該谷部よりさらにペットボトル本体の軸線方向に突出させて環状の窪みを設けたことが特徴の縦方向に伸縮できるペットボトル
【請求項４】
上記蛇腹状を構成する第１段目の飲み口部の下辺部から山部に至る上面間に、段部を形成したことが特徴の上記請求項１乃至３に示す縦方向に伸縮できるペットボトル
【発明の詳細な説明】
【技術分野】
【０００１】
本発明は主にプリフォームを使用しストレッチブローとかインデクションブローとか、一般的にはペット樹脂ブローなどと呼ばれているブロー成形方法を用いて、ジュースやミネラルウォーターのペットボトルを造型するものであり、特に内容物が充填されているときと、空のときでは高さが異なる縦方向に伸縮できるペットボトルに関する。
【背景技術】
【０００２】
合成樹脂ボトルの生産量は、近年膨大なものになっている。
【０００３】
しかし、ペットボトル本体内のジュースやミネラルウォーターを飲み干して、該ペットボトル本体を破棄する時、飲み干す以前の形状の儘であり、これを所謂ゴミ箱に破棄する場合は、まるで空気をゴミ箱に捨てたような状態ですぐ満杯となり、あげくは路上に破棄され、生活環境を悪化させる最大の欠点があり、加えてそれは飲み干されたペットボトル本体の回収費や、清掃の為の人件費は公共事業の大きな負担となっているのである。
【０００４】
またこの種合成樹脂ボトルは、それをブロー成形など手軽な手段で製造できる反面、激しい振動を伴う自動車やその他の搬送手段や、積み重ねられる店頭での展示の際の、振動に対応できる強度が未だ充分とは言えないものがあった。
【０００５】
さらにこの事は、ペットボトルを製造する業者からジュースやミネラルウォーターなどを充填する会社に搬送する際も、当該ペットボトル本体が嵩ばってまるで空気を搬送しているような状態で、製品の搬送費にかかる割合は相当なものとなっていたのである。
【０００６】
そこで本願発明者は先に液体ペットボトルの廃品を回収するに当たって、そのペットボトルを簡単に縮小することができるように工夫した液体ペットボトルを提供した。
【０００７】
これは比較的軟質の合成樹脂で作られ、上端に口部をもった液体ペットボトル本体の周襞を蛇腹状としたことである。（特許文献１参照）
【０００８】
また、これに加えペットボトル本体の垂直方向及び／あるいは捩り方向に負荷を与えることによって、実質的にその容積が縮小するような形状としたこと、およびこの縮小された形状を保持する手段とペットボトル本体の発明（特許文献２参照）を提唱した。
【０００９】
この結果いずれも上記目的即ち、ペットボトル本体を押し潰した際その高さ、及びペットボトルをより縮小させその状態を保たせるに充分対処できたのである。このように高さ方向で伸縮できるボトルは、その成型工場から内容物の充填工場に縮小させて多量に一度に搬送するのに便利であり、飲み干したあとのゴミ箱での収容量を飛躍的に向上させかつ処理工場に搬送する絶対量を可及的に多くできる利点がある。
【００１０】
しかし乍らこのことにとどまらず、ジュースなどの内容物をたとえば海岸などで寝そべった状態で飲むときは、ペットボトルそれ自身の垂直軸を湾曲させることができれば便利であり、また飲むのを途中でやめた場合は、その飲み終えた部分だけ縮小できれば、従来その高さ容量を変更できなかったのと異なり、ハンドバックなどに容易に収容できるから、その携行が頗る便利となることが考えられる。
【００１１】
このようなボトルは一見その外観形状を蛇腹状とすることで解決したかのようであるが、実際の比較的薄い合成樹脂製材料の、しかも近時「安価」でしかも比較的強靭な材料である所謂ペット樹脂では、度重なる伸縮動作の結果、蛇腹状を構成する特に山部や谷部が折れたり、破れたり、傷が生じたり、あるいは縮んだ状態を保つことなく、元の状態となろうとする復元力が働くなどの結果、所謂ペットボトル樹脂で蛇腹状ペットボトルを作ることは不可能とさえ言われていたのである。
【００１２】
【特許文献１】特開２００１−２１３４１８（要約書）
【特許文献２】特開２００２−６８１５６  （要約書）
【発明の開示】
【課題を解決するための手段】
【００１３】
総じて本発明の目的は、ペットボトル本体内に内容物が充填されているときに比し、実質的にその縦幅（高さ）が縮小できる縦方向に伸縮できるペットボトルを製造する方法を提供することにある。
【００１４】
他の目的は、このペットボトル本体の成型工場から、ミネラルウォーターやジュースを充填する工場への搬送時は、その高さ(容積)を頗る縮小させ、同工場で再び正規の容量，高さのペットボトル本体となす縦方向に伸縮できるペットボトルを提供することにある。
【００１５】
他の目的は、ペットボトル本体内のジュースやミネラルウォーターを飲み干して、該ペットボトル本体を破棄する時、幼児やお年寄りでも簡単に当該ペットボトル本体の容積（高さ）を頗る小さくすることが出来るようにした縦方向に伸縮できるペットボトルを提供することにある。
【００１６】
他に本発明の目的は、当該ペットボトル本体が持ち易く、その表面に結露などが発生しても、滑り落すようなことのない形状の縦方向に伸縮できるペットボトルを提供することにあり、他に本発明の目的は当該ペットボトル本体の内容物を飲む途中にあって空になった部分の縦幅を縮小できるようにしたことである。
【００１７】
他に本発明の目的は、従来飲み干された空のペットボトルはそのままの縦幅(高さ)の状態で捨てられ、すぐゴミ箱が満杯になって収容しきれなくなったのに比し、その収容個数を従来の商品と比べさらに頗る増大させたことであり、このことは同時に空のペットボトル本体の搬送を同時に多量に成し得るから、その運送量や回収費や清掃回収のための人件費を、頗る軽減させることができるようにしたことである。
【００１８】
また、かかるペットボトル本体はこれを多量に安価に製造するのに適し、しかも蛇腹部分及び各蛇腹を構成する各襞の形成が確実でその結果、当該ペットボトル本体を潰したとき、その潰された状態を保つことができるようにした縦方向に伸縮できるペットボトルを提供することができたのである。
【００１９】
而して本発明の特徴は上端部の飲み口部の縦幅を除いて、縦方向の一部或いは全部が水平方向の蛇腹状となっているペットボトル本体にあって、その製造過程にあっては内容物が充填されている時の縦幅(高さ、容積)より実質的に低い状態で成型されたペットボトルであって、かかるペットボトルはその製造工場から内容物を充填する工場に搬送する際その縦幅(高さ、容積)が実質的に縮小されているから従来の搬送量よりその量を頗る増大させ得たのである。
【００２０】
また本発明のペットボトルはその外周を蛇腹状としたから持ち易く、内容物を飲む際にたとえ外表面に所謂結露が発生しても滑って落すような虞れはないのである。
【００２１】
他に本発明の特徴としては、内容物を飲み干す等の動作でペットボトル本体に空白部が出来たとき、内容物が充填されていたときの高さより実質的に小容積で低い高さの状態とすることが出来るようにしたことである。
【００２２】
この結果このペットボトルに所謂「飲み残し」が生じた場合でも、これをハンドバックのような鞄に入れて携帯することが可能となり、かつ飲み終えて破棄する場合はこれを押し潰して、その容量、高さを頗る縮小させてからゴミ箱などに捨てられるので、従来のようにゴミ箱がすぐ満杯になることがなくなり、まるで空気を運ぶような運送，回収作業を飛躍的に改善できたのである。
【００２３】
而して本発明の特徴は、ペット樹脂のような可撓性ある樹脂材料で造られ、上端に飲み口部を有し側面周囲を水平方向或いは斜方向の蛇腹状としたペットボトル本体にあって、上記飲み口部の厚さは１．３乃至２．０であり、上記蛇腹状を形成する各襞うち最上段の襞の上辺の縦断縦巾は、飲み口近くが０．６乃至１．０、略々中央部は０．１５乃至０．２、山部は０．１乃至０．１５、下辺の縦断縦巾は略々中央部は０．１５乃至０．２、の略々均一な厚さとなっていることである。
【００２４】
さらに上記蛇腹状を形成する各襞の縦断面形状は、上面が上方の湾曲し下面は真直あるいは上方に湾曲しており、かつ２段目以後の襞の縦断面形状は、その上面も下面も下方に湾曲していることも本発明の特徴である。
【発明の効果】
【００２５】
これら具体的な構造の発明の効果として、上記ペットボトル本体を押し潰す場合その飲み口部を押す事になる。この力は蛇腹状部の上面に伝わり、該上面は飲み口近くが最も厚く、中央部はから山部に至るに従い順次薄くなっているから強い力をその侭薄い肉厚の方向に押すことになる。
【００２６】
その結果、上記蛇腹状を構成する第１段目の飲み口部の下辺部から山部に至る上面間が反転し、各襞を押す力を助長させ押し潰す作用を容易なものとすることが出来たのである。
【００２７】
またこの場合、上記の襞の上面中間部に段部を形成した実施例のものは、上方から力が加えられかかる部分の反転作用が確実となるのである。
【００２８】
加えて、上記蛇腹状を構成する襞の谷部に、湾状の窪みを設けたもは、この湾状の凹みの存在によって、上記環状の窪みの作用を更に増長させるもので、それだけ本発明のペットボトル本体を伸縮される場合僅かな力で、それも各蛇腹状部が確実に重り合って、ペットボトル本体の高さを１／３〜１／８程度に縮小できるようになったのである。
【００２９】
なお本発明にはその他に優れた発明の目的、特徴、作用効果を有するが、これらは以下の実施例の説明で明らかにする。
【００３０】
即ち図１で（１）はペットボトル本体で、上端部の飲み口部を除いたその高さ（長さ）方向の外周と内周は蛇腹状（２）となっている。
【００３１】
図３では上記ペットボトル本体（１）内の、仮令えばミネラルウォーターを未だ充填していない時、あるいは飲み干してから高さ（長さ）方向にその一方からあるいは両方から押し潰した状態を示した。
【００３２】
即ち本発明はこのようなペットボトル本体（１）を押し潰した状態とするため及び潰れた状態を保つため秀れた構成を有し、秀れた作用を発揮するのである。
【００３３】
そのペットボトル本体（１）の構成の一例として図１（５００ミリリットルのペットボトル）でわかるように（３）は、その外周に雄ねじを刻設したペットボトル本体（１）の直径約２６ｍｍ，高さ２３ｍｍ程度の飲み口部で、その直下方は第１段目（最上段）の蛇腹状（２）の内端部と連接されている。
【００３４】
また、このとき第１段の蛇腹状の外径（２Ａ）は６５ｍｍφと、ペットボトル本体（１）の蛇腹状の最大の外径７１ｍｍφ（２Ｎ）より小さい径となっている。
【００３５】
この場合上記第１段の蛇腹状の外径（２Ａ）に対し第２段の蛇腹状の外径（２Ｂ）は、上記第１段の蛇腹状の外径（２Ａ）より大きくペットボトル本体（１）の最大の外径（２Ｎ）より約６８ｍｍφと小さくする。
【００３６】
さらにこれと連なりかつ上記第２段の蛇腹状の外径（２Ｂ）より大きく、ペットボトル本体（１）の第３段の蛇腹状の外径[図１では最大の外経２Ｎと同じ]（２Ｃ）とすることで側面からみて階段状となっているが、勿論これは上記のように３段とすることに限らず適宜の複数段でもよい。
【００３７】
この場合上記各蛇腹状（２）を構成する各襞は、アダムスキー（Aｄａｍｓｋｉ）型と呼ばれる未確認飛行物体（ＵＦＯ）のような形状をしており、従って水平方向の上下に２分されたような形状となっている。
【００３８】
この時図１で上記第１段の蛇腹状の外径（２Ａ）の上半分の高さｈ１の高さは７．２ｍｍ，下（ｈ２）の高さは５.５ｍｍ，図３で第２段以下の蛇腹状の外径（２Ｂ）の上（ｈ３）は８．５ｍｍ，下は（ｈ４）６．５ｍｍ，となし、その径を変えている。
【００３９】
またその襞（４）の第１段目の形状は、同図２でみられるように、その上方の上面が外方向に湾曲しているのに対し、上面は真っ直ぐかあるいはペットボトル本体（１）の内方向に緩く湾曲（図ではＲ４０）している。
【００４０】
而してこの形状はかかるペットボトル本体（１）にあって特に需要者の目を引き易い部分が、同ペットボトル本体（１）の肩部にそそがれることから、柔らかい形状の外方向への湾曲形状として見た目をよくするためのである。
【００４１】
しかしてこのペットボトル本体（１）を押し潰す際、第１段目のその襞の上面を湾曲形状とすれば、飲み口部（３）あるいはペットボトル本体（１）の肩部を押した力は、襞（４）の上面を上方に湾曲することによって、この湾曲部の先端（第１段目の襞（４）の外周端）に集中することになる。続いてこの襞外周の集中力は第１段目の襞（４）の下面を内方向に折り込むような形で、第２段目の上面の中間部を押すことになる。
【００４２】
この結果この力は、第１段目も第２段目もその外経が同じ場合、押し潰す力が加算されて順次潰し難くなるのに対し、上記第段目の上面中間部の力に同中間部からなる外方向の襞（４）がこの力に付勢して、第２段目の襞（４）外周に伝えるので比較的容易にペットボトル本体（１）を押し潰すことができるのである。
【００４３】
またこの場合、上記蛇腹状（２）を構成する襞（４）の谷部（Ｐ）の肉厚が、同山部（Ｑ）の肉厚との比較に於て、厚く造型することも重要であり、具体的な例としては谷部（Ｐ）の肉厚は、０.４９ｍｍであり、山部（Ｐ）の肉厚は０.２７ｍｍ，この谷部（Ｐ）と山部（Ｑ）との略中間部の厚さは０.３９ｍｍとすることが好ましく、縦方向に潰し易い。
【００４４】
続いて図２あるいは図７などでみられるように、上記谷部（Ｐ）よりさらにペットボトル本体（１）の軸線方向に突出させて環状の窪み（Ｒ）を設けると更に潰し易くなることが分かった。この場合、この窪み（Ｒ）はその直径が０．５乃至３．０ｍｍ、わけても図１のペットボトル本体（１）では、１．０ｍｍが最適であることも解っている。
【００４５】
本発明のペットボトル本体（１）をさらに容易に押し潰すための工夫として、上記実施例に共通して、上記ペットボトル本体（１）の肩部（Ｃ）の断面形状でそれは図４に示した。
即ち、それは図でペットボトル本体（１）に於ける飲み口部（３）の厚さ（Ｖ）は１．７４０ｍｍで、これと蛇腹状（２）の第１段における上面中間に至る部分（Ｕ）の間の厚さは０．７９７ｍｍと厚く、これとの比較で上記の中間から第１段の山部（Ｑ）に至る間の厚さ（Ｔ）は０．１９４ｍｍ，山部（Ｑ）の厚さはこの実施例で０．１３７ｍｍ，この山部（Ｑ）から谷部（Ｐ）に向う中間部の厚さ（Ｓ）は０．１９１ｍｍとそれぞれ薄くなっていることである。
【００４６】
さて、ペットボトル本体（１）の内容物を飲み干したのち、ペットボトル本体（１）を図３のように両手（Ｇ）（Ｈ）の平（ひら）間に垂直に置き、ペットボトル本体（１）の中間方向に両手（Ｇ）（Ｈ）で押圧すると、図４のようにペットボトル本体（１）は押し潰されたような状態となる。
【００４７】
このとき、上記第１段目の蛇腹状（２）の上面は、飲み口部（３）から中間に至る部分（６）を他に比べて頗る厚くし、これと比較して第２段目以下は薄くなっているから、丁度硬い円盤状のもので柔らかい胴部（Ａ）を押し潰すことになるから、その押し潰す動作に大きな力を要せず、さらに上記第１段の外径（２Ａ）は上記のように第２段の外径（２Ｂ）より小さくしたからボトル本体（１）の各蛇腹状（２）部は順次折り畳まれた状態となることにより、幼児でも老人でも簡単にその嵩（高さ）を縮小できるようになったのである。
【００４８】
本発明を実施するに当たって、その襞（４）の形状は各種のものが考えられる。その一例として図７外で見られるこの実施例の形状のものは、その上面（５）も下面（６）も下方に湾曲した断面『＞』の形状をしている。
【００４９】
而してこの形状のものはペットボトル本体（１）を上方から押し潰そうとする力の合力が、襞（４）の外周部に加わりこの部分を確実に押し下げ、しかも下面（６）を反転させて比較的少ない力であっても押し潰す力を加勢し、潰す力を助長させるのである。
【００５０】
具体的に図８などにおいて、ペットボトル本体（１）を押し潰そうとする力はその谷部から次段の谷部方向に向かう。そのとき、垂直方向の力に対し水平方向の分力が下方に働き、これが襞（４）を構成する上面（５）の湾曲面を反転させ下面（６）を下方に折り曲げる作用をなし、同図一点鎖線に示すように順次折り畳められたような状態となり、かつ上面（５）の湾曲面が反転することによって折り畳まれた襞はその状態を保つことができるのである。
【００５１】
またこの形状はジュースなどの内容物を飲み干すのにかかるペットボトル本体（１）を傾倒あるいは逆さ状態とする際、下面（６）の湾曲面と、上面（５）の真直な面が、かかる内容物を全て迅急に流出させるに適している。
【００５２】
さらにこの種ペットボトル本体（１）は、ジュースなどの内容物を充填する際に洗浄水による充分な殺菌を行わなくてはならないが、かかる形状とすることでペットボトル本体（１）内にかかる洗浄液が当たらない部分が発生したり、洗浄剤の洗浄液がペットボトル本体（１）に残るような虞もないものとなっている。
【００５３】
なお、この種の飲料水のペットボトルは、これにジュースなどの内容物を充填する以前に、充分な殺菌作用が施されなくてはならない。この場合殺菌手段としては、洗浄液を飲み口部（３）からペットボトル本体（１）内に噴射させ、その内壁に渦巻状に旋回させたものであるが、特に本発明のペットボトル本体（１）の襞（４）を上記のような湾曲形状とすることによって、洗浄液の流れを阻止するような形状がないことからスムーズな洗浄残しの部分がない洗浄が行えるのである。
【００５４】
またこのことは、洗浄後の洗浄液の排出もスムーズに行うことができ、かかる洗浄液をペットボトル本体（１）内に残留させるような虞がないものとすることができたのである。なお、図７は上記したように襞（４）を構成する各部に形成させた窪み部（７）がある例である。
【００５５】
この外本発明のペットボトル本体（１）は度重なる実験で、その高さ（容積）が１／３乃至１／４以下となり、このペットボトル本体を成型工場から充填工場に運ぶときはその容量を小さく、充填工場では元の状態になる容積まで内容物を充填でき、飲んでいる際はそのペットボトル本体を湾曲させたり、その飲み量に応じて縮められ、かつ破棄するときはその容量を極少ない近い状態に縮めるなどの度々の伸縮作用や湾曲折り曲げ作用に耐えられる構造となっているのである。
【００５６】
この結果ペットボトル本体（１）は、度重なる実験ではその高さ（容積）が１／５乃至１／８以下となり、これをゴミ箱などに放棄してもそのスペースを格段に少なくすることができたのである。
【００５７】
また、飲用ペットボトルとして通常出廻っている商品は５００ミリリットルであるから、一度にこれを「飲み干す」ことはほとんどない。
【００５８】
従って、飲み残しがあっても容積はそのままの空の部分があるペットボトルを携行しなくてはならない。
【００５９】
その点本発明のペットボトルは飲み干されて空となった部分を縮めて携行できるようにしたから、ハンドバックの中でも容易に収容できるのである。
【００６０】
さらに多くの飲料ペットボトルに用いられるペットボトルは、その商標や内容の説明あるいは出所を表す表示のフラットな掲載部分がペットボトル本体（１）の中間部に設けられるが、このようなペットボトルでも上記同様の作用効果がある。
【００６１】
以上述べたペットボトル本体（１）の主な効果は、ペットボトル本体を破棄する時、その容積を頗る小さくすることが出来るようにしたことであり、ゴミ箱などに収容できる個数を頗る増大させたことである。
【００６２】
またかかる縮小させたペットボトル本体は、その搬送量を同時に多量に成しできるから、その回収費や清掃回収の為の人件費を、頗る軽減できたことである。
【００６３】
さらに本発明のペットボトル本体は、その外観の形状の見栄えがよく、使用する者に多大な興味を持たせかつ、ペットボトル本体の蛇腹の形状が摩擦止めとなり、使用中にペットボトル本体が滑り落下させたり、あるいは内容物を溢出させたりする虞も未然に防止できるのである。
【００６４】
また本発明によって潰された状態のペットボトル本体といえどもその形状は意匠的に見栄えのよいもので、そのまま外のペットボトルとしても利用できるのである等々が知られている。
【００６５】
総して本発明の効果は上端部の飲み口部と、底部の小さい高さ方向の幅と、この飲み口部と高さ方向の幅とを除いて長手方向の全部或いは一部が水平方向の蛇腹状となしペットボトル本体に、該ペットボトル本体内のジュースやミネラルウォーターを飲み干して、該ペットボトル本体を破棄する時その容積を簡単な操作と少ない力で、幼児や老人でも頗る小さくすることが出来るペットボトルを簡単に大量に製造できるようにしたことである。
【図面の簡単な説明】
【００６６】
【図１】本発明ペットボトル本体全体の正面図
【図２】同ペットボトル本体全体の１／４縦断面図
【図３】ペットボトル本体を折り畳んでいる状態の斜視図
【図４】ペットボトル本体肩部の拡大断面図
【図５】同折り畳みつつある拡大断面図
【図６】蛇腹形状を構成する第１段目の襞部の断面拡大図（図１のサークルａ）
【図７】同第１段目下面と第２段目上面の襞部の拡大図（図１のサークルｂ）
【図８】ペットボトルを折り畳んだ状態の断面図
【符号の説明】
【００６７】
ｈ１    上
ｈ２    下
ｈ３    上
ｈ４    下
Ｇ      両手
Ｈ      両手
Ｐ      谷部
Ｑ      山部
Ｒ      窪み
Ｓ      厚さ
Ｔ      厚さ
Ｕ      厚さ
Ｖ      厚さ
１      ペットボトル
２      蛇腹状
２Ａ    第１段外径
２Ｂ    第２段外径
２Ｃ    第３段外径
２Ｄ    第４段外径
２Ｎ    第Ｎ段外径
３      飲み口部
４      襞
５      上面
６      下面
７      窪み
【図１】
2007015729.tif 000003
【図２】
2007015729.tif 000004
【図３】
2007015729.tif 000005
【図４】
2007015729.tif 000006
【図５】
2007015729.tif 000007
【図６】
2007015729.tif 000008
【図７】
2007015729.tif 000009
【図８】
2007015729.tif 000010